(57)【要約】【課題】投影画像を操作しているときに映像特性を変更することが必要になった場合に発生する、操作性が悪いという課題を解決したプロジェクター機能を備えた携帯端末装置を提供する。【解決手段】投影部３は、入力信号が表す画像をスクリーン等に投影する。操作・設定画面表示手段212は、投影画像を操作するための操作画面と、携帯電話機１に投影特性を設定するための設定画面とを、タッチパネル付き表示部１１に同時に表示する。操作内容判定手段２１３は、操作画面上の指の位置、あるいは、操作画面上での指の動きに基づいて、投影画面に対する操作内容を判定する。また、投影特性変更手段２１４は、設定画面上の指の位置や、ポインティングデバイス１２によって指示される設定画面上の位置に基づいて、投影特性記憶部４１に記憶されている投影特性を変更する。【選択図】図２
2011211519.tif 000002
【特許請求の範囲】
【請求項１】
タッチパネル付き表示部と、
入力された画像信号が表す画像を外部に投影する投影部と、
前記タッチパネル付き表示部に、前記投影部によって投影される投影画像を操作するための操作画面と、投影特性を設定するための設定画面とを同時に表示する画面表示手段とを備えたことを特徴とする携帯端末装置。
【請求項２】
請求項１記載の携帯端末装置において、
前記操作画面には、操作内容毎の操作ボタンが表示され、
前記設定画面には、前記投影特性に関する項目毎の調整ボタンが表示されることを特徴とする携帯端末装置。
【請求項３】
請求項１記載の携帯端末装置において、
前記操作画面には、前記投影画像と同一の画像が表示され、
前記設定画面には、前記投影特性に関する項目毎の調整ボタンが表示され、且つ、
前記操作画面上を移動する指の動きに基づいて操作内容を判定する操作内容判定手段を備えたことを特徴とする携帯端末装置。
【請求項４】
請求項２または３記載の携帯端末装置において、
前記操作内容には、現在投影されている画像とは別の画像を投影するための操作、または、現在投影されている画像を縮小あるいは拡大するための操作が含まれ、
前記投影特性に関する項目には、投影画像の輝度、コントラスト、または、色合いが含まれることを特徴とする携帯端末装置。
【請求項５】
請求項２乃至４の何れか１項に記載の携帯端末装置において、
前記設定画面に表示されている調整ボタンを選択するためのポインティングデバイスと、
該ポインティングデバイスによって選択された調整ボタンに応じて投影特性を変更する投影特性変更手段とを備えたことを特徴とする携帯端末装置。
【請求項６】
タッチパネル付き表示部と、入力された画像信号が表す画像を外部に投影する投影部とを備えた携帯端末装置において、
画面表示手段が、前記タッチパネル付き表示部に、前記投影部によって投影される投影画像を操作するための操作画面と、投影特性を設定するための設定画面とを同時に表示することを特徴とする画面表示方法。
【請求項７】
タッチパネル付き表示部と、入力された画像信号が表す画像を外部に投影する投影部とを備えた携帯端末に内蔵されるＣＰＵを、
前記タッチパネル付き表示部に、前記投影部によって投影される投影画像を操作するための操作画面と、投影特性を設定するための設定画面とを同時に表示する画面表示手段として機能させるためのプログラム。
【発明の詳細な説明】
【技術分野】
【０００１】
本発明は、プロジェクター機能を有する携帯端末装置に関する。
【背景技術】
【０００２】
携帯電話機、ＰＨＳ（Personal
Handy-phone System）端末装置などの携帯端末装置は、液晶（Liquid Crystal Display）や有機ＥＬ（Organic
Electro-Luminescence）等により構成される表示部を備えており、ここにＷｅｂ画面や携帯端末装置のメモリ内に保存されている情報を表示できるようになっている。しかし、携帯端末装置の表示部は、その面積が小さいため、表示される画像が小さく、見にくい場合があるといった問題や、多人数で見る場合に不向きであるという問題がある。
【０００３】
このような問題を解決した携帯端末装置として、プロジェクター機能を組み込んだものが知られている（例えば、特許文献１参照）。特許文献１に記載されている技術は、携帯端末装置の筐体内に設けられている表示板に、メモリやメモリスティックに保存されている情報を表示し、この表示板に表示されている画像を、拡大レンズを介して外部に投影することにより、メモリ等に保存されている情報を大画面で見ることができるようにしている。
【０００４】
また、パーソナルコンピュータ（ＰＣ）などからケーブルを介して送られてくる画像信号によって表される画像を外部に投影するようにしたプロジェクターも知られている（例えば、特許文献２参照）。この特許文献２に記載されているプロジェクターは、タッチパネル付き表示部を備えており、そこに輝度、コントラスト、色合い、台形補正等といった投影特性を設定するための各種ボタンが設けられた設定画面を表示するようにしている。そして、ユーザは、スクリーン上に投影された画像を見ながら、タッチパネル付き表示部に表示された設定画面上のボタンを操作することにより、見やすく美しい画像をスクリーン上に投影するようにしている。
【先行技術文献】
【特許文献】
【０００５】
【特許文献１】特開２００２−２７０６０号公報
【特許文献２】特開２００５−２１５１４４号公報
【発明の概要】
【発明が解決しようとする課題】
【０００６】
特許文献１に記載されている技術によれば、携帯端末装置のメモリに記録されている情報を、スクリーン上に投影された大画面で見ることができる。しかし、見やすく美しい画像をスクリーン上に投影するためには、使用環境に応じて輝度、コントラスト等の投影特性を適切に設定することが必要になるが、特許文献１には、この点は全く記載されていない。
【０００７】
一方、特許文献２に記載されているプロジェクターは、投影特性設定用の各種ボタンが設けられた設定画面をタッチパネル付き表示部に表示するようにしているので、利用者が、スクリーン上に表示されている画像を見ながら設定画面上のボタンを操作することにより、見やすく美しい画面をスクリーン上に投影することができる。
【０００８】
ところで、スクリーン上に投影される画像を操作しているとき（例えば、投影画像を次の画像に切り替えた時など）に、投影特性を変更することが必要になる場合がある。例えば、投影された画像が見にくかった場合や、使用環境が変化した場合は、投影特性を変更することが必要になる。特許文献２に記載されている技術では、スクリーン上に投影される画像に対する操作は、画像信号の供給元（例えば、ＰＣ）に設けられているマウスやキーボードを用いて行っている。このため、スクリーン上に投影されている画像を操作しているときに、投影特性を変更することが必要になった場合には、ＰＣのマウスやキーボードから手を離し、プロジェクターに設けられているタッチパネル付き表示部まで指を移動させなければならないので、操作性が悪いという問題がある。
【０００９】
[発明の目的]
そこで、本発明の目的は、投影画像を操作しているときに映像特性を変更することが必要になった場合に発生する、操作性が悪いという課題を解決したプロジェクター機能を備えた携帯端末装置を提供することにある。
【課題を解決するための手段】
【００１０】
本発明に係る第１の携帯端末装置は、
タッチパネル付き表示部と、
入力された画像信号が表す画像を外部に投影する投影部と、
前記タッチパネル付き表示部に、前記投影部によって投影される投影画像を操作するための操作画面と、投影特性を設定するための設定画面とを同時に表示する画面表示手段とを備える。
【００１１】
本発明にかかる画面表示方法は、
タッチパネル付き表示部と、入力された画像信号が表す画像を外部に投影する投影部とを備えた携帯端末装置において、
画面表示手段が、前記タッチパネル付き表示部に、前記投影部によって投影される投影画像を操作するための操作画面と、投影特性を設定するための設定画面とを同時に表示する。
【００１２】
本発明に係るプログラムは、
タッチパネル付き表示部と、入力された画像信号が表す画像を外部に投影する投影部とを備えた携帯端末に内蔵されるＣＰＵを、
前記タッチパネル付き表示部に、前記投影部によって投影される投影画像を操作するための操作画面と、投影特性を設定するための設定画面とを同時に表示する画面表示手段として機能させる。
【発明の効果】
【００１３】
本発明によれば、投影画像に対する操作と、携帯電話機に投影特性を設定するための操作を、タッチパネル付き表示部といった１つの入力装置を用いて行うことができるので、操作性が向上する。
【図面の簡単な説明】
【００１４】
【図１】本発明の第１の実施の形態に係る携帯電話機１の外観図である。
【図２】本発明の第１の実施の形態に係る携帯電話機１の内部構成例を示すブロック図である。
【図３】第１の実施の形態における操作画面１１１および設定画面１１２の一例を示す図である。
【図４】携帯電話機１の処理例を示すフローチャートである。
【図５】本発明の第２の実施の形態における操作画面１１１および設定画面１１２の一例を示す図である。
【図６】本発明の第２の実施の形態における操作内容判定手段２１３の処理例を示すフローチャートである。
【発明を実施するための形態】
【００１５】
次に、本発明の実施の形態について図面を参照して詳細に説明する。
【００１６】
[本発明の第１の実施の形態]
図１を参照すると、本発明の第１の実施の形態に係る携帯電話機１は、入力装置としてタッチパネル付き表示部１１と、トラックボール等のポインティングデバイス１２と、テンキーなどのキー入力部１３とを備えている。また、携帯電話機１の上部には、スクリーン１００に画像を投影するためのレンズ３３が設けられている。
【００１７】
図２を参照すると、携帯電話機１内部には、制御部２と、投影部３と、記憶部４とが設けられている。
【００１８】
投影部３は、投影用液晶パネル３１と、駆動回路３２と、レンズ３３とを備えている。なお、投影部３の構成は、これに限られるものではない。
【００１９】
投影用液晶パネル３１は、Ｒ，Ｇ，Ｂ用の液晶表示素子から構成され、各液晶表示素子には、図示を省略した照明ユニットからＲ，Ｇ，Ｂの光が与えられる。駆動回路３２は、制御部２から供給される画像信号に基づいて、Ｒ，Ｇ，Ｂ用の駆動信号を生成して各液晶表示素子に供給する。投影用液晶パネル３１は、各色の駆動信号に従ってＲ，Ｇ，Ｂの光を変調する。変調されたＲ，Ｇ，Ｂの光は図示を省略したプリズムによって合成され、カラー画像を形成する。このカラー画像がレンズ３３を介してスクリーン１００に投影画像１０１として投影される。
【００２０】
記憶部４１は、投影特性記憶部４１と、画面情報記憶部４２とを備えている。
【００２１】
投影特性記憶部４１には、ユーザによって設定された、自装置の投影特性が記録されている。投影特性には、輝度、コントラスト、色合いなどが含まれ、投影特性記憶部４１にはそれらに関する設定値が記録されている。
【００２２】
画面情報記憶部４２には、タッチパネル付き表示部１１に操作画面および設定画面を表示するための情報が記録されている。操作画面は、投影部３によってスクリーン１００に投影される画像を操作するための画面である。また、設定画面は、携帯電話機１に投影特性を設定するための画面である。
【００２３】
制御部２は、プロジェクター制御部２１と、携帯制御部２２とを含んでいる。
【００２４】
携帯制御部２２は、自装置を携帯電話機として機能させるために装置各部を制御する。
【００２５】
プロジェクター制御部２１は、自装置をプロジェクターとして機能させるために各部を制御するものであり、投影制御手段２１１と、操作・設定画面表示手段２１２と、操作内容判定手段２１３と、投影特性変更手段２１４とを備えている。
【００２６】
投影制御手段２１１は、ユーザによって指定された画像（例えば、ユーザによって指定されたファイル中の画像や、ユーザによって指定されたＷｅｂ画像など）を表す画像信号を投影部３に供給する。また、投影制御手段２１１は、投影特性記憶部４１に記録されている投影特性に従って輝度、コントラスト、色合いなどを調整する。
【００２７】
操作・設定画面表示手段２１２は、画面情報記憶部４２に記録されている情報に基づいて、タッチパネル付き表示部１１に図３に示すように、操作画面１１１と、設定画面１１２とを同時に表示する。図３の例では、操作画面１１１には、次の画像（ページ，スライド等）に進んだり前の画像に戻ったりする際に操作する操作ボタン111aと、投影画像１０１を拡大縮小するための操作ボタン111bとが設けられている。また、設定画面１１２には、輝度を設定するための調整ボタン112aと、コントラストを設定するための調整ボタン112bと、色合いを設定するための調整ボタン112c〜112eとが設けられている。
【００２８】
操作内容判定手段２１３は、ユーザが操作画面１１１を用いて指示した操作内容を判定する。投影特性変更手段２１４は、ユーザが設定画面１１２上で行った操作に基づいて、投影特性記憶部４１に記録されている情報を変更する。
【００２９】
なお、投影制御手段２１１、操作・設定画面表示手段２１２、操作内容判定手段２１３、及び、投影特性変更手段２１４は、ＣＰＵ（中央処理装置）によって実現可能であり、その場合には、例えば、次のようにする。ＣＰＵを上記各手段２１１〜２１４として機能させるためのプログラムを記録したディスク、半導体メモリ、その他の記録媒体を用意し、ＣＰＵに上記プログラムを読み取らせる。これにより、ＣＰＵは読み取ったプログラムに従って自身の動作を制御し、自ＣＰＵ上に上記各手段２１１〜２１４を実現する。
【００３０】
次に、本実施の形態の動作について、図４のフローチャートを参照して説明する。
【００３１】
制御部２内の投影制御手段２１１は、ユーザによって投影すべき画像（例えば、記憶部４に記録されているファイルＦ１中の第１スライド）が指示されると、上記画像を表す画像信号を投影部３に供給する。これにより、スクリーン１００には、ファイルＦ１の第１スライドが表示される（ステップＳ４１）。
【００３２】
その後、制御部２内の操作・設定画面表示手段２１２が、画面情報記憶部４２に記録されている情報に基づいて、タッチパネル付き表示部１１の表示画面に、図３に示すように、操作画面１１１と、設定画面１１２とを同時に表示する（ステップＳ４２）。この例では、表示部の上部、下部にそれぞれ操作画面１１１、設定画面１１２を表示しているが、上下が反対であっても構わない。
【００３３】
その後、ユーザによって例えば操作画面１１１上の操作ボタン（次へ）111aがタッチされると（ステップＳ４３がＹＥＳ）、操作内容判定手段２１３は、ユーザがタッチした位置に基づいて、次のスライド（第２スライド）の投影が指示されたと判定し、そのことを投影制御手段２１１に通知する。これにより、投影制御手段２１１は、記憶部４からファイルＦ１の第２スライドを読み込み、第２スライドを表す画像信号を投影部３に供給する（ステップＳ４４）。また、例えばユーザによって操作ボタン（＋）111bがタッチされた場合は、投影制御手段２１１は、操作内容判定手段２１３からの通知に基づいて、投影画像の拡大が指示されていることを認識し、例えば、光学系を調整することにより、投影画像を拡大する。
【００３４】
また、例えば、ユーザによって設定画面１１２上の調整ボタン（＋）112aがタッチされた場合（ステップＳ４５がＹＥＳ）は、投影特性変更手段２１４は、投影特性記憶部４１に記録されている輝度に関する設定値を増加させる（ステップＳ４６）。また、ポインティングデバイス１２によって操作される矢印やカーソルによって上記調整ボタン（＋）112aが指定された場合も、輝度に関する設定値を増加する処理を行う（ステップＳ４５がＹＥＳ、Ｓ４６）。
【００３５】
制御部２は、ユーザによって処理終了が指示されるまで（ステップＳ４７がＹＥＳとなるまで）、上述した処理を繰り返し行う。
【００３６】
[第１の実施の形態の効果]
本実施の形態によれば、投影画像を操作しているときに映像特性を変更することが必要になった場合に発生する、操作性が悪いという課題を解決することができる。その理由は、タッチパネル付き表示部１１に、投影部３によって投影される投影画像を操作するための操作画面１１１と、自装置１に投影特性を設定するための設定画面１１２とを同時に表示するようにしているからである。つまり、投影画像に対する操作と、携帯電話機１に投影特性を設定するための操作を、タッチパネル付き表示部１１といった１つの入力装置を用いて行うことができるので、操作性が向上する。
【００３７】
[本発明の第２の実施の形態]
次に、本発明の第２の実施の形態について説明する。本実施の形態は、ユーザが感覚的に投影画像を操作できるようにしたことを特徴とする。
【００３８】
本実施の形態にかかる携帯電話機の構成は、図２に示した第１の実施の形態における携帯電話機１と同様であり、操作・設定画面表示手段２１２および操作内容判定手段２１３が行う処理（図４のステップＳ４２、Ｓ４４の処理）が第１の実施の形態と相違しているだけであるので、ここでは、相違部分についてのみ説明する。
【００３９】
前述した第１の実施の形態では、ユーザは、投影画像を操作する場合、操作内容に応じた操作ボタンをタッチするようにしている。例えば、次の画像を投影する場合には、操作ボタン（次へ）111aをタッチし、投影画像を拡大する場合には、操作ボタン（＋）111bをタッチするようにしている。これに対して、本実施の形態では、タッチパネル付き表示部１１上での指の動きにより操作内容を指示する。具体的には、投影画像を次の画像に変更する場合には、タッチパネル付き表示部１１上で指を右方向に動かし、投影画像を１つ前の画像に戻す場合は、指を左方向に動かす。また、投影画像を拡大する場合は、２本の指でタッチパネル付き表示部１１にタッチし、徐々に両者の間隔を広げる。また、投影画像を縮小する場合には、２本の指でタッチパネル付き表示部１１にタッチし、徐々に両者の間隔を狭める。
【００４０】
ステップＳ４２において、操作・設定画面表示手段２１２は、図５に示すように、操作画面１１１と設定画面１１２とをタッチパネル付き表示部１１の表示画面に同時に表示する。本実施の形態では、スクリーン１００に投影している投影画像１０１と同一の画像を操作画面１１１に表示している。
【００４１】
ステップＳ４４において、操作内容判定手段２１３は、タッチパネル付き表示部１１上を移動するユーザの指の動きに基づいて、ユーザによって指示された操作内容を判定する。
【００４２】
具体的には、図６のフローチャートに示すように、タッチパネル付き表示部１１から送られてくる、指のタッチ位置を示す信号に基づいて、指が右方向に移動していると判定した場合には、投影画像を次の画像にすることが指示されていると判定し、その旨を投影制御手段２１１に通知する（ステップＳ６１がＹＥＳ、Ｓ６５）。また、指が左方向に移動していると判定した場合には、投影画像を前の画像に戻すことが指示されていると判定し、その旨を投影制御手段２１１に通知する（ステップＳ６２がＹＥＳ、Ｓ６６）。また、２本の指の間隔が徐々に長くなってきていると判定した場合には、投影画像を拡大することが指示されていると判定し、その旨を投影制御手段２１１に通知する（ステップＳ６３がＹＥＳ，Ｓ６７）。また、２本の指の間隔が徐々に短くなってきていると判定した場合は、投影画像を縮小することが指示されていると判定し、その旨を投影制御手段２１１に通知する（ステップＳ６４がＹＥＳ、Ｓ６８）。制御手段２１１は、操作内容判定手段２１３からの通知内容に従った画像操作を行う。
【００４３】
なお、操作画面１１１に投影画像と異なる画像を表示するようにしてもよく、例えば、「次の画像を投影する場合には、画面上で指を右に動かし、前の画像に戻る場合には、指を左に動かして下さい。また、投影画像を拡大する場合には、画面上に２本の指を置き、その間隔を広げ、投影画像を縮小する場合には、画面上に２本の指を置き、その間隔を狭めて下さい。」といった説明文の載った画面を表示するようにしてもよい。また、上述した説明では、タッチ操作による投影画面操作として、ページ送り操作、拡大縮小操作を例に挙げたが、これに限られるものではなく、タッチ操作によりスクロール操作や、Web画面におけるハイパーリンク操作などを行うようにしてもよい。
【００４４】
[第２の実施の形態の効果]
本実施の形態によれば、第１の
実施の形態で得られる効果に加え、ユーザが間隔的に投影画像を操作することが可能になるという効果を得ることができる。その理由は、タッチパネル付き表示部１１上を移動するユーザの指の動きに基づいて、投影画像に対する操作内容を判定する操作内容判定手段２１３を備えているからである。
【産業上の利用可能性】
【００４５】
本発明は、携帯電話機、ＰＨＳ端末装置など、表示部の面積が小さい携帯端末装置に適用すると好適である。
【符号の説明】
【００４６】
１      携帯電話機
１１    タッチパネル付き表示部
１１１  操作画面
111a，111b  操作ボタン
111b  操作ボタン
112c〜112e  調整ボタン
１２    ポインティングデバイス
１３    キー入力部
１００  スクリーン
１０１  投影画像
２      制御部
２１    プロジェクター制御部
２１１  投影制御手段
２１２  操作・設定画面表示手段
２１３  操作内容判定手段
２１４  投影特性変更手段
２２    携帯制御部
３      投影部
３１    投影用液晶パネル
３２    駆動回路
３３    レンズ
４      記憶部
４１    投影特性記憶部
４２    画面情報記憶部
【図１】
2011211519.tif 000003
【図２】
2011211519.tif 000004
【図３】
2011211519.tif 000005
【図４】
2011211519.tif 000006
【図５】
2011211519.tif 000007
【図６】
2011211519.tif 000008